(57)【特許請求の範囲】
【請求項１】
釣り竿を装着可能であり、釣り糸を前方に繰り出し可能なスピニングリールであって、
ハンドルと、
前記釣り糸が巻かれるスプールと、
前記スプールに前記釣り糸を巻き付け可能なロータと、
前記スプールを前記ハンドルの回転によって前後移動させるオシレーティング機構と、
前記ロータを前記ハンドルの回転によって回転させるロータ駆動機構と、
前記釣り竿を装着可能な竿取付脚、前記オシレーティング機構及び前記ロータ駆動機構を収納するための開口する機構装着空間を有する筐体部、前記筐体部の機構装着空間を覆う蓋部材、前記筐体部及び前記蓋部材の後方を覆う先細りの本体ガード、前記本体ガードの前記竿取付脚から離れる側の内側面から前記筐体部及び前記蓋部材の少なくともいずれかに向けて突出する突出部、並びに前記筐体部及び前記蓋部材の少なくともいずれかに設けられ、前記突出部に係合して前記本体ガードの前記竿取付脚から離れる方向の移動を規制する規制部、を有し、前記筐体部及び前記蓋部材のいずれかに前記竿取付脚が設けられるリール本体と、
を備えるスピニングリール。
【請求項２】
前記本体ガードは、前記竿取付脚に近い第１位置でネジ部材によって前記筐体部に固定され、前記竿取付脚から前記第１位置よりも離れた第２位置で前記筐体部に係合し、
前記規制部は、前記蓋部材に設けられる、請求項１に記載のスピニングリール。
【請求項３】
前記突出部は、第１面と前記第１面よりも前記竿取付脚から離れた第２面と、を有し、前記蓋部材に向けて板状に突出する、請求項２に記載のスピニングリール。
【請求項４】
前記規制部は、前記蓋部材の外側面から前記突出部の前記第２面に接触可能に前記本体ガードに向けて突出する突起部を有する、請求項３に記載のスピニングリール。
【請求項５】
前記突起部は、前記本体ガードに向けて板状に突出する、請求項４に記載のスピニングリール。
【請求項６】
前記突起部は、前記本体ガードに向けて棒状に突出する、請求項４に記載のスピニングリール。
【請求項７】
前記突起部は、丸棒状であり、前記蓋部材に着脱可能に装着される、請求項６に記載のスピニングリール。
【請求項８】
前記本体ガードは、前記筐体部の底面に接触可能なリブを有する、請求項２から７のいずれか１項に記載のスピニングリール。
【発明の詳細な説明】
【技術分野】
【０００１】
本発明は、スピニングリール、特に、スピニングリールのリール本体に関する。
【背景技術】
【０００２】
スピニングリールのリール本体は、側部に設けられる開口を有する筐体部と、筐体部に着脱可能に設けられ開口を覆う蓋部材と、筐体部及び蓋部材の後部を覆う本体ガードと、を有する（例えば、特許文献１参照）。従来のスピニングリールのリール本体では、本体ガードは、本体ガードの端面を筐体部及び蓋部材に当接させて位置決めし、本体ガードの上部をネジにより筐体部に固定している。本体ガードの下部は、筐体部に係合させている。
【先行技術文献】
【特許文献】
【０００３】
【特許文献１】特許４８０４３３１号公報
【発明の概要】
【発明が解決しようとする課題】
【０００４】
従来のスピニングリールでは、本体ガードを筐体部及び蓋部材に当接させて位置決めしているので、本体ガードが蓋部材及び筐体部の少なくともいずれかに対して位置ずれを起こすおそれがある。本体ガードが蓋部材及び筐体部の少なくともいずれかに対して位置ずれすると、本体ガードと筐体部及び蓋部材との間に段差が生じたり、本体ガードがガタついたりするおそれがある。
【０００５】
本発明の課題は、スピニングリールのリール本体において、筐体部及び蓋部材の少なくともいずれかと本体ガードとの位置ずれを生じにくくすることにある。
【課題を解決するための手段】
【０００６】
発明１に係るスピニングリールは、釣り竿を装着可能であり、釣り糸を前方に繰り出し可能である。スピニングリールは、ハンドルと、スプールと、ロータと、オシレーティング機構と、ロータ駆動機構と、リール本体と、を備える。スプールは、釣り糸が巻き付けられる。ロータは、スプールに釣り糸を巻き付け可能である。オシレーティング機構は、スプールをハンドルの回転によって前後移動させる。ロータ駆動機構は、ロータをハンドルの回転によって回転させる。リール本体は、竿取付脚と、筐体部と、蓋部材と、本体ガードと、突出部と、規制部と、有する。リール本体は、筐体部及び蓋部材のいずれかに竿取付脚が設けられる。竿取付脚は、釣り竿を装着可能である。筐体部は、オシレーティング機構及びロータ駆動機構を収納するための開口する機構装着空間を有する。蓋部材は、筐体部の機構装着空間を覆う。本体ガードは、筐体部及び蓋部材の後方を覆う先細りのものである。突出部は、本体ガードの竿取付脚から離れる側の内側面に筐体部及び蓋部材の少なくともいずれかに向けて突出する。規制部は、筐体部及び蓋部材の少なくともいずれかに設けられ、突出部に係合して本体ガードの竿取付脚から離れる方向の移動を規制する。
【０００７】
このスピニングリールでは、筐体部の機構装着空間内にロータ駆動機構及びオシレーティング機構を装着し、蓋部材を筐体部に装着した後に本体ガードを筐体部及び蓋部材の後面を覆うように取り付ける。本体ガードを筐体部及び蓋部材に装着すると、筐体部及び蓋部材の少なくともいずれかに設けられた規制部が本体ガードに設けられた突出部に係合して本体ガードの竿取付脚から離れる方向の移動が規制される。ここでは、筐体部及び蓋部材の少なくともいずれかに規制部を設け、規制部を本体ガードに設けられた突出部に係合させることによって、本体ガードの竿取付脚から離れる方向の移動が規制される。これにより、筐体部及び蓋部材の少なくともいずれかと、本体ガードと、の位置ずれが生じにくくなる。
【０００８】
発明２に係るスピニングリールは、発明１に記載のスピニングリールにおいて、本体ガードは、竿取付脚に近い第１位置でネジ部材によって筐体部に固定され、竿取付脚から第１位置よりも離れた第２位置で筐体部に係合する。規制部は、蓋部材に設けられる。この場合には、蓋部材に対して本体ガードを固定しなくても、蓋部材に対して本体ガードが位置ずれしにくくなる。
【０００９】
発明３に係るスピニングリールは、発明２に記載のスピニングリールにおいて、突出部は、第１面と第１面よりも竿取付脚から離れた第２面と、を有し、蓋部材に向けて板状に突出する。この場合には、蓋部材に向けて板状に突出して突出部が形成されるので、突出部の接触面の面積が大きくなり、規制部が突出部に係合しやすくなる。
【００１０】
発明４に係るスピニングリールは、発明３に記載のスピニングリールにおいて、規制部は、蓋部材の外側面から突出部の第２面に接触可能に本体ガードに向けて突出する突起部を有する。この場合には、突起部が突出部の第２面に接触するので、本体ガードが竿取付脚から離れる方向に移動しなくなる。
【００１１】
発明５に係るスピニングリールは、発明４に記載のスピニングリールにおいて、突起部は、本体ガードに向けて板状に突出する。この場合には、突出部と突起部とがともに板状であるので、両者の接触面積がさらに大きくなり、本体ガードがさらに位置ずれしにくくなる。
【００１２】
発明６に係るスピニングリールは、発明４に記載のスピニングリールにおいて、突起部は、本体ガードに向けて棒状に突出する。この場合には、突起部が棒状であるので、棒の横断面の大きさを変更することによって、本体ガードのがたを細かく調整できる。
【００１３】
発明７に係るスピニングリールは、発明６に記載のスピニングリールにおいて、突起部は、丸棒状であり、蓋部材に着脱可能に装着される。この場合には、外径が異なる複数種の突起部を用意することにより、量産化において、本体ガードの姿合わせ及びガタ調整を容易に行うことができる。
【００１４】
発明８に係るスピニングリールは、発明２から７のいずれかに記載のスピニングリールにおいて、本体ガードは、筐体部の底面に接触可能なリブを有する。この場合には、竿取付脚に近い第１位置で筐体部に固定される本体ガードを、筐体部の底面に接触させることができるので、本体ガードが筐体部に対して竿取付脚に近づく方向に位置ずれしにくくなる。
【発明の効果】
【００１５】
本発明によれば、筐体部及び蓋部材の少なくともいずれかに規制部を設け、規制部を本体ガードに設けられた突出部に係合させることによって、本体ガードの竿取付脚から離れる方向の移動が規制される。これにより、筐体部及び蓋部材の少なくともいずれかと、本体ガードと、の位置ずれが生じにくくなる。
【図面の簡単な説明】
【００１６】
【図１】本発明の一実施形態によるスピニングリールの側面図。
【図２】スピニングリールの側面断面図。
【図３】リール本体の分解斜視図。
【図４】蓋部材の側面図。
【図５】蓋部材の後部の斜視部分図。
【図６】図４の切断線VI−VIによる断面図。
【図７】本体ガードの斜視図。
【図８】本体ガードの横断面図。
【図９】他の実施形態の蓋部材の後部の斜視部分図。
【発明を実施するための形態】
【００１７】
＜第１実施形態＞
＜全体構成＞
図１及び図２において、本発明の第１実施形態によるスピニングリール１００は、釣り糸を前方に繰り出すものである。スピニングリール１００は、ハンドル１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、リール本体２の右側とのいずれにも装着可能である。
【００１８】
ハンドル１は、図１及び図２に示すように、ハンドル軸８ａ（図２）の先端に揺動可能に装着され、ハンドル軸８ａと交差する方向に延びるハンドルアーム８ｂと、ハンドルアーム８ｂの先端に固定された把手軸（図示せず）と、把手軸に回転自在に装着されたハンドル把手８ｃとを備えている。
【００１９】
＜リール本体の構成＞
リール本体２は、図１及び図２に示すように、筐体部２ａと、蓋部材２ｂと、竿取付脚２ｃと、本体ガード７と、本体ガード７に設けられる突出部７ａ（図６参照）と、蓋部材２ｂに設けられる規制部１９ａと、を有する。筐体部２ａは、例えばアルミニウム合金製又はマグネシウム合金製であり、開口する機構装着空間２ｄを有する。機構装着空間２ｄには、ロータ３をハンドル１の回転に連動して回転させるロータ駆動機構５と、スプール４をハンドル１の回転に連動して前後往復移動させるオシレーティング機構６と、が設けられている。筐体部２ａの前部には、図３に示すように、筒部２ｆと、蓋部材２ｂとで円形のフランジ部２ｇを構成する第１フランジ２ｇ１とが形成される。筒部２ｆの内部には、後述する逆転防止機構５０が収納される。
【００２０】
蓋部材２ｂは、例えばアルミニウム合金製又はマグネシウム合金製であり、機構装着空間２ｄの開口２ｅを覆って機構装着空間２ｄを塞ぐために設けられる。図３に示すように、蓋部材２ｂと、筐体部２ａとの間には、開口２ｅに沿って配置される無端のシール板７１が装着される。これにより、筐体部２ａと蓋部材２ｂの隙間がシールされる。蓋部材２ｂの前部には、第１フランジ２ｇ１とで円形のフランジ部２ｇを構成する第２フランジ２ｇ２が形成される。第２フランジ２ｇ２の前方には、上下に間隔を隔てて２つのネジ挿通孔１９ｂ，１９ｃが形成される。ネジ挿通孔１９ｂ，１９ｃには、それぞれネジ部材９が挿通され、筐体部２ａの機構装着空間２ｄの前方にネジ込まれる。前側の２本のネジ部材９は、カバー部材７２によって覆われる。
【００２１】
蓋部材２ｂは、図４、図５及び図６に示すように、ガード装着部１９ｄと、ボス部１９ｅと、を有する。ガード装着部１９ｄは、竿取付脚２ｃから離れる側である後下側の外側面に、他の部分よりも凹んで形成される。ボス部１９ｅは、後述する駆動軸１０を支持するために他の部分よりも外方に筒状に突出して形成される。ガード装着部１９ｄに本体ガード７が、本体ガード７の外側面と蓋部材２ｂの外側面とが実質的に面一となるように装着される。このガード装着部１９ｄに規制部１９ａ設けられる。ガード装着部１９ｄの後部及び蓋部材２ｂの上部には、ネジ部材９をそれぞれ挿通可能なネジ挿通孔１９ｆ，１９ｇが形成されている。ネジ部材９は、ネジ挿通孔１９ｆ，１９ｇを貫通して筐体部２ａの後部にねじ込まれる。これにより、４本のネジ部材９によって、蓋部材２ｂは筐体部２ａに固定される。なお、筐体部２ａと蓋部材２ｂとの間には、凹凸嵌合によって位置決めする図示しない複数の位置決め手段が設けられている。このように、蓋部材２ｂは、筐体部に対して位置決めされるため、筐体部２ａと蓋部材２ｂとの間では、位置ずれが生じにくい。
【００２２】
規制部１９ａは、本体ガード７に係合して、本体ガード７が蓋部材２ｂに対して竿取付脚２ｃから離れる下方に位置ずれするのを防止するために設けられる。規制部１９ａは、この実施形態では、蓋部材２ｂのガード装着部１９ｄから突出し前後方向に延びる板状の突起部１９ｈを有する。具体的には、突起部１９ｈは、ガード装着部１９ｄの外側面から突出部７ａの後述する第２面７ｇに接触可能に本体ガード７の内側面に向けて板状に突出する。
【００２３】
竿取付脚２ｃは、図１及び図２に示すように、筐体部２ａから斜め上前方に延びた後に前後方向に延びる概ねＴ字状の部分である。この実施形態では、竿取付脚２ｃは、筐体部２ａと一体形成されているが、蓋部材２ｂと一体形成されてもよい。
【００２４】
本体ガード７は、図３、図７及び図８に示すように、例えば、ＡＢＳ樹脂（アクリロニトリル・ブタジエン・スチレン樹脂）等の比較的硬質の合成樹脂製である。本体ガード７は、筐体部２ａ及び蓋部材２ｂの後部及び後側底部を覆うように、後方に向かって先細りの形状である。本体ガード７は、竿取付脚２ｃに近い第１位置に設けられるボス部７ｂと、第１位置よりも竿取付脚２ｃから離れた第２位置に形成された底部７ｃと、を有する。ボス部７ｂは、筐体部２ａの後面に形成された小径部を有する嵌合孔２ｉに嵌合する。本体ガード７は、ボス部７ｂに螺合するネジ部材７３によって筐体部２ａに固定される。ネジ部材７３は、筐体部２ａに開口２ｅ側から装着される取付部材７４を貫通してボス部７ｂにねじ込まれる。取付部材７４の前端部は、筐体部２ａの前部に形成された通過孔２ｊに装着された弾性体製の丸棒状のシール部材７５によってシールされる。また、取付部材７４の後端面と筐体部２ａとの間には、Ｏリング７７（図２及び図３参照）が装着されている。これにより、取付部材７４の内部に液体が浸入しにくくなり、通過孔２ｊ又は嵌合孔２ｉから液体が機構装着空間２ｄ内に浸入しにくくなる。
【００２５】
本体ガード７の底部７ｃの先端部７ｄは、筐体部２ａの段差部２ｋ及び蓋部材２ｂの段差部１９ｉに係合している。本体ガード７は、底部７ｃの内側面に、筐体部２ａの底面２ｍに接触可能に形成されたリブ７ｅを有する。本体ガードの底部７ｃは、前下がりに傾斜しており、リブ７ｅは、傾斜する底部７ｃに対して徐々に突出高さが大きくなるように形成される。このリブ７ｅによって、第１位置だけでネジ止めされる本体ガード７が上方に位置ずれしにくくなる。
【００２６】
突出部７ａは、本体ガード７のガード装着部１９ｄと対向する内側面に、ガード装着部１９ｄに向かって板状に突出して設けられる。突出部７ａは、前後方向に延びる第１面７ｆと第１面７ｆよりも竿取付脚２ｃから離れた第２面７ｇと、を有する。この第２面７ｇに、前述したように、突起部１９ｈが接触する。これにより、本体ガード７が竿取付脚２ｃから離れる下方に位置ずれしにくくなる。なお、突出部７ａの前端部及び規制部１９ａの後端部は、本体ガード７を装着する際に突出部７ａの第２面７ｇを規制部１９ａに案内しやすくするために、三次元的に互いに丸められている。
【００２７】
本体ガード７と筐体部２ａ及び蓋部材２ｂとの間には、合成樹脂製のボディカバー７６が設けられている。ボディカバー７６は、本体ガード７と筐体部２ａ及び蓋部材２ｂとを姿合わせするために設けられる。
【００２８】
＜ロータ駆動機構の構成＞
ロータ駆動機構５は、図２に示すように、ハンドル１のハンドル軸８ａが連結された駆動軸１０、駆動軸１０とともに回転する駆動ギア１１と、駆動ギア１１に噛み合うピニオンギア１２とを有している。駆動軸１０は、たとえば、ステンレス合金製の筒状の軸であり、筐体部２ａ及び蓋部材２ｂに装着された軸受（図示せず）により両端支持されている。駆動軸１０の両内周面には、雌ねじ部（図示せず）が形成されている。
【００２９】
ピニオンギア１２は、たとえば、ステンレス合金製の筒状の部材であり、その前部１２ａはロータ３の中心部を貫通しており、ナット１３によりロータ３と一体回転可能に固定されている。ナット１３は、リテーナ１８によって回り止めされる。リテーナ１８は、ロータ３に固定される。ピニオンギア１２は、その軸方向の中間部と後端部とが、筐体部２ａに間隔を隔てて装着された軸受１４ａ，１４ｂにより筐体部２ａに回転自在に支持されている。
【００３０】
＜オシレーティング機構の構成＞
オシレーティング機構６は、スプール４の中心部にドラグ機構６０を介して連結されたスプール軸１５を前後方向に移動させてスプール４を同方向に往復移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。螺軸２１は前後方向に配置されており、筐体部２ａに回転自在に支持されている。スライダ２２にはスプール軸１５の基端が回転不能に連結されている。
【００３１】
スライダ２２にはスプール軸１５の後端が回転不能に固定されている。スライダ２２は、筐体部２ａに前後方向に沿って配置された２本のガイド軸（図示せず）により前後方向に案内されている。中間ギア２３は、ピニオンギア１２に噛み合っている。
【００３２】
スプール軸１５は、ピニオンギア１２の中心部を貫通して配置されている。スプール軸１５は、ピニオンギア１２の内部をオシレーティング機構６により前後に往復移動する。スプール軸１５は、中間部がナット１３内に装着された軸受１６により、後部がピニオンギア１２の後部内周面により、回転自在かつ軸方向移動自在に支持されている。
【００３３】
＜ロータの構成＞
ロータ３は、図２に示すように、ピニオンギア１２を介してリール本体２に回転自在に支持される。ロータ３は、ピニオンギア１２に一体回転可能に連結されたロータ本体３０と、第１カバー部材３２と、第２カバー部材３３と、ベールアーム３６と、を有する。
【００３４】
ロータ本体３０は、ピニオンギア１２を介してリール本体２に回転自在に連結される有底筒状の連結部３０ａと、第１ロータアーム３０ｂと、第２ロータアーム３０ｃと、を有する。第１ロータアーム３０ｂは、連結部３０ａの後端部の第１側（図２上側）から連結部３０ａと間隔を隔てて前方に延びる。第２ロータアーム３０ｃは、連結部３０ａの後端部の第１側と対向する第２側（図２下側）から連結部３０ａと間隔を隔てて前方に延びる。ロータ本体３０は、たとえばアルミニウム合金製又はマグネシウム合金製であり一体成形されている。
【００３５】
連結部３０ａの前部には、壁部３１ａが形成されており、壁部３１ａの中央部にはボス部３１ｂが形成されている。ボス部３１ｂの中心部には貫通孔３１ｃが形成されており、この貫通孔３１ｃをピニオンギア１２の前部１２ａ及びスプール軸１５が貫通している。壁部３１ａの前部にロータ３をピニオンギア１２に固定するためのナット１３が配置されておる。ナット１３とスプール軸１５との間には、スプール軸１５とナット１３との隙間から液体が筐体部２ａ内に浸入するのを防止するためのシール部材１７が装着されている。シール部材１７は、ナット１３に接触して配置される。連結部３０ａの後部には、リール本体２の前部を収納可能な円形空間を有する凹陥部３１ｄが形成されている。
【００３６】
第１ロータアーム３０ｂは、図２に示すように、連結部３０ａから外方に凸に湾曲して前方に延びており、連結部３０ａとの接続部は連結部３０ａの周方向に広がり湾曲している。第２ロータアーム３０ｃは、連結部３０ａから外方に凸に湾曲して前方に延びており、連結部３０ａとの接続部は連結部３０ａの周方向に広がり湾曲している。
【００３７】
第１カバー部材３２は、第１ロータアーム３０ｂの径方向外側を覆う。第１カバー部材３２と第１ロータアーム３０ｂとの間にベールアーム３６を糸巻取姿勢と糸開放姿勢とに振り分けて付勢するベール反転機構（図示せず）が設けられる。
【００３８】
ベールアーム３６は、図２に示すように、第１及び第２ロータアーム３０ｂ，３０ｃの先端に糸解放姿勢と糸巻き取り姿勢との間で揺動自在に装着されている。ベールアーム３６は、糸巻取姿勢にあるとき、ロータ３の糸巻取方向の回転により、釣り糸をスプール４に巻き付ける。
【００３９】
ベールアーム３６は、第１ロータアーム３０ｂの先端の外周側に揺動自在に装着された第１ベール支持部材４０と、第２ロータアーム３０ｃの先端の外周側に揺動自在に装着された第２ベール支持部材４２と、第１ベール支持部材４０の先端に回転自在に装着されたラインローラ４１と、を有している。また、ベールアーム３６は、第１ベール支持部材４０の先端に固定され第１ベール支持部材４０に片持ち支持された、ラインローラ４１を支持する固定軸（図示せず）と、固定軸の先端側に配置された固定軸カバー４４と、固定軸カバー４４と第２ベール支持部材４２とを連結するベール４５と、を有している。
【００４０】
＜その他の構成＞
図２に示すように、リール本体２の筒部２ｆの内部には、前述したように、ロータ３の逆転を禁止するための逆転防止機構５０が配置されている。逆転防止機構５０は、内輪が遊転するローラ型のワンウェイクラッチ５１を有している。この逆転防止機構５０は、ロータ３の糸繰り出し方向の逆転を常時禁止しており、逆転を許可する状態をとることはない。なお、逆転防止機構を逆転許可状態と逆転禁止状態とを切り換えできるように構成してもよい。逆転防止機構５０は、筒部２ｆに固定されたキャップ部材２０によって抜け止めされる。キャップ部材２０は、例えば筒部２ｆの外周面にねじ込み固定される。キャップ部材２０と逆転防止機構５０との間には、筒部２ｆ内への液体の浸入を防止するためのシール部材７８が装着されている。シール部材７８の先端は、ロータ３のボス部３１ｂに接触している。
【００４１】
ここでは、リール本体２の筐体部２ａと蓋部材２ｂとの間に配置されるシール板７１と、ナット１３の前面に配置されたシール部材１７と、逆転防止機構５０に配置されたシール部材７８と、取付部材７４に装着されたＯリング７７と、通過孔２ｊに装着されたシール部材７５によって、機構装着空間２ｄが液密に保たれる。このため、機構装着空間２ｄ内への外部からの液体の浸入を防止できる。
【００４２】
スプール４は、図２に示すように、ロータ３の第１ロータアーム３０ｂと第２ロータアーム３０ｃとの間に配置されており、スプール軸１５の先端に回転自在に支持されている。スプール４は、スプール軸１５とともに前後移動しながら、外周に釣り糸が巻かれる。スプール４は、たとえばアルミニウム合金製のものである。スプール４の内部には、設定されたドラグ力がスプール４に作用するようにスプール４を制動するドラグ機構６０が収納されている。
【００４３】
ドラグ機構６０は、図２に示すように、スプール４の糸繰り出し方向への回転を制動してスプール４にドラグ力を作用させるための機構である。ドラグ機構６０は、ドラグ力を手で調整するためのドラグつまみ組立体６５と、ドラグつまみ組立体６５によりにスプール４側に押圧されてドラグ力が調整される摩擦部６６と、を備えている。ドラグつまみ組立体６５は、スプール4の前部に配置されている。摩擦部６６は、スプール４の内部に配置されている。
【００４４】
＜本体ガードの取り付け手順＞
このような構成のスピニングリール１００では、機構装着空間２ｄ内にロータ駆動機構５とオシレーティング機構６とを装着すると、蓋部材２ｂ及び本体ガード７を筐体部２ａに固定する。この固定を行う場合、駆動ギア１１が設けられた駆動軸１０を取り付ける前に、本体ガード７を固定するための取付部材７４を機構装着空間２ｄ内に仮組みする。取付部材７４を仮組みする場合、ネジ部材７３を取付部材７４に取り付け、取り付けたネジ部材７３を嵌合孔２ｉの小径部に差し込む。
【００４５】
この状態で駆動軸１０を組み込み、シール板７１を機構装着空間２ｄの縁部に配置し、蓋部材２ｂを筐体部２ａに４本のネジ部材９によって固定する。蓋部材２ｂの固定が完了すると、本体ガード７を筐体部２ａに固定する。このとき、ボディカバー７６を筐体部２ａ及び蓋部材２ｂの後面に配置する。この状態で、本体ガード７の縁部がボディカバー７６に接触するようにして本体ガード７のボス部７ｂを嵌合孔２ｉに挿入する。
【００４６】
ボス部７ｂを嵌合孔２ｉに挿入すると、本体ガード７に設けられた突出部７ａの第２面７ｇが規制部１９ａの突起部１９ｈの上面に接触する。これにより、本体ガード７が下方へ位置ずれしにくくなる。ボス部７ｂを挿入すると、ボス部７ｂを固定するためのネジ部材７３を回すために、ドライバーの先端を通過孔２ｊに挿入する。そして、ネジ部材７３の頭部の、例えば十字溝にドライバーの先端を係合させてネジ部材７３を締め込む。これにより、本体ガード７の底部７ｃの先端部７ｄが筐体部２ａの段差部２ｋ及び蓋部材の段差部１９ｉに係合し、本体ガード７が筐体部に固定される。本体ガード７の固定が終わると、通過孔２ｊにシール部材７５を装着し、通過孔２ｊを塞ぐ。これにより、本体ガード７の取り付けが完了する。ここでは、蓋部材に規制部１９ａを設け、規制部１９ａを本体ガード７に設けられた突出部７ａに係合させることによって、本体ガード７の竿取付脚２ｃから離れる方向の移動が規制される。これにより、蓋部材２ｂと、本体ガード７と、の位置ずれが生じにくくなる。
【００４７】
＜第２実施形態＞
以降の実施形態の説明では、第１実施形態と異なる部分について異なる符号（第１実施形態の符号を３桁に変更した符号）を付けて説明し、同様な構成についての説明を省略する。
【００４８】
第１実施形態では、突出部７ａ及び規制部１９ａの双方を板状に形成したが、図９に示す第２実施形態では、規制部１１９ａの突起部１１９ｈは、第１実施形態と異なり、ガード装着部１１９ｄの外側面から丸棒状に突出する。なお、突出部７ａは、第１実施形態と同様に、本体ガードの内側面から板状に突出する。
【００４９】
突起部１１９ｈは、ガード装着部１１９ｄに設けられる装着孔１１９ｉに装着される。装着孔１１９ｉは、貫通していてもよいし、貫通していなくてもよい。装着孔１１９ｉは、例えばネジ孔である。突起部１１９ｈは、突出部７ａの第２面７ｇに接触可能な突起部本体１１９ｊと、装着孔１１９ｉに係合する装着部１１９ｋと、を有する。したがって、第２実施形態では、規制部１１９ａは、蓋部材２ｂに対して着脱可能である。
【００５０】
なお、図９では、突起部本体１１９ｊが装着部１１９ｋよりも大径であるが、突起部本体１１９ｊと装着部１１９ｋの大きさは、どちらが大きくてもよいし、同径であってもよい。
【００５１】
このような構成の突起部１１９ｈでは、突起部本体１１９ｊの外径が異なる複数種の突起部１１９ｈを用意することにより、量産化において、本体ガード７の姿合わせ及びガタ調整を容易に行うことができる。
【００５２】
なお、ここでは、突起部１１９ｈをねじ込み固定したが、突起部を装着孔に嵌合させるだけでもよい。例えば、本体ガード７の内側面で突起部を抜け止めするように構成すれば、すきま嵌めで突起部の装着部を装着穴に嵌合させてもよい。
【００５３】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５４】
（ａ）第１及び第２実施形態では、本体ガード７は、筐体部２ａだけに固定され、蓋部材２ｂには固定されていない。このため、本体ガード７は、筐体部２ａよりも蓋部材２ｂに対して位置ずれしやすくなる。そこで、蓋部材２ｂに規制部１９ａを設けるとともに、本体ガード７に突出部７ａを設けている。しかし、本発明はこれに限定されない。例えば、本体ガードが蓋部材に固定されている場合には、規制部を筐体部から本体ガードに向けて突出させ、突出部を本体ガードから筐体部に向けて突出させてもよい。また、本体ガードの固定先に関わらず、筐体部及び蓋部材の少なくともいずれかに規制部を設け、規制部によって規制される突出部を本体ガードに設けてもよい。
【００５５】
（ｂ）第２実施形態では、規制部１１９ａの突起部１１９ｈを丸棒状に突出させ、突出部７ａを板状に突出させたが、本発明はこれに限定されない。突出部と規制部は、本体ガードの竿取付脚から離れる下方への位置ずれを防止できるように係合するのであればどのような係合状態でもよい。例えば、突起部を板状に突出させ、突出部を棒状（例えば丸棒状）に突出させてもよい。
【００５６】
（ｃ）前記実施形態では、筐体部２ａに竿取付脚２ｃが一体形成されていたが、蓋部材２ｂに竿取付脚２ｃが一体形成されてもよい。この場合、蓋部材に本体ガードが固定されているときは、他の実施形態（ａ）で説明したように、筐体部に規制部を設けてもよい。
【００５７】
＜特徴＞
上記実施形態は、下記のように表現可能である。
【００５８】
（Ａ）スピニングリール１００は、釣り竿を装着可能であり、釣り糸を前方に繰り出し可能である。スピニングリール１００は、ハンドル１と、スプール４と、ロータ３と、オシレーティング機構６と、ロータ駆動機構５と、リール本体２と、を備える。スプール４は、釣り糸が巻き付けられるものである。ロータ３は、スプール４に釣り糸を巻き付け可能である。オシレーティング機構６は、スプール４をハンドル１の回転によって前後移動させる。ロータ駆動機構５は、ロータ３をハンドル１の回転によって回転させる。リール本体２は、竿取付脚２ｃと、筐体部２ａと、蓋部材２ｂと、本体ガード７と、突出部７ａと、規制部１９ａと、有する。リール本体２は、筐体部２ａ及び蓋部材２ｂのいずれかに竿取付脚２ｃが設けられる。竿取付脚２ｃは、釣り竿を装着可能である。筐体部２ａは、オシレーティング機構６及びロータ駆動機構５を収納するための開口する機構装着空間２ｄを有する。蓋部材２ｂは、筐体部２ａの機構装着空間２ｄを覆う。本体ガード７は、筐体部２ａ及び蓋部材２ｂの後方を覆う先細りのものである。突出部７ａは、本体ガード７の竿取付脚から離れる側の内側面から蓋部材２ｂ向けて突出する。規制部１９ａは、蓋部材２ｂに設けられ、突出部７ａに係合して本体ガード７の竿取付脚２ｃから離れる方向の移動を規制する。
【００５９】
このスピニングリール１００では、筐体部２ａの機構装着空間２ｄ内にロータ駆動機構５及びオシレーティング機構６を装着し、蓋部材２ｂを筐体部２ａに装着した後に本体ガード７を筐体部２ａ及び蓋部材２ｂの後面を覆うように取り付ける。本体ガード７を筐体部２ａ及び蓋部材２ｂに装着すると、蓋部材２ｂに設けられた規制部１９ａが本体ガード７に設けられた突出部７ａに係合して本体ガード７の竿取付脚２ｃから離れる方向の移動が規制される。ここでは、蓋部材２ｂに規制部１９ａを設け、規制部１９ａを本体ガード７に設けられた突出部７ａに係合させることによって、本体ガード７の竿取付脚２ｃから離れる方向の移動が規制される。これにより、蓋部材２ｂと、本体ガード７と、の位置ずれが生じにくくなる。
【００６０】
（Ｂ）スピニングリール１００において、本体ガード７は、第１位置でネジ部材７３によって筐体部２ａに固定され、竿取付脚２ｃから第１位置よりも離れた第２位置で筐体部２ａに係合する。規制部１９ａは、蓋部材２ｂに設けられる。この場合には、蓋部材２ｂに対して本体ガード７を固定しなくても、蓋部材２ｂに対して本体ガード７が位置ずれしにくくなる。
【００６１】
（Ｃ）スピニングリール１００において、突出部７ａは、第１面７ｆと第１面７ｆよりも竿取付脚２ｃから離れた第２面７ｇと、を有し、蓋部材２ｂに向けて板状に突出する。この場合には、蓋部材２ｂに向けて板状に突出して突出部７ａが形成されるので、突出部７ａの接触面の面積が大きくなり、規制部１９ａが突出部７ａに係合しやすくなる。
【００６２】
（Ｄ）スピニングリール１００において、規制部１９ａは、蓋部材２ｂの外側面から突出部７ａの第２面７ｇに接触可能に本体ガード７に向けて突出する突起部１９ｈを有する。この場合には、突起部１９ｈが突出部７ａの第２面７ｇに接触するので、本体ガード７が竿取付脚２ｃから離れる方向に移動しなくなる。
【００６３】
（Ｅ）スピニングリール１００において、突起部１９ｈは、本体ガード７に向けて板状に突出する。この場合には、突出部７ａと突起部１９ｈとがともに板状であるので、両者の接触面積がさらに大きくなり、本体ガード７がさらに位置ずれしにくくなる。
【００６４】
（Ｆ）スピニングリールにおいて、突起部１１９ｈは、本体ガード７に向けて棒状に突出する。この場合には、突起部１１９ｈが棒状であるので、棒の横断面の大きさを変更することによって、本体ガード７のがたを細かく調整できる。
【００６５】
（Ｇ）スピニングリールにおいて、突起部１１９ｈは、丸棒状であり、蓋部材２ｂに着脱可能に装着される。この場合には、外径が異なる複数種の突起部１１９ｈを用意することにより、量産化において、本体ガード７の姿合わせ及びガタ調整を容易に行うことができる。
【００６６】
（Ｈ）スピニングリール１００において、本体ガード７は、筐体部２ａの底面２ｍに接触可能なリブ７ｅを有する。この場合には、竿取付脚に近い第１位置で筐体部２ａに固定される本体ガード７を、筐体部２ａの底面２ｍにリブ７ｅ接触させることができるので、本体ガード７が筐体部２ａに対して竿取付脚２ｃに近づく方向に位置ずれしにくくなる。
【符号の説明】
【００６７】
１    ハンドル
２    リール本体
２ａ  筐体部
２ｂ  蓋部材
２ｃ  竿取付脚
２ｄ  機構装着空間
２ｅ  開口
３    ロータ
４    スプール
５    ロータ駆動機構
６    オシレーティング機構
７    本体ガード
７ａ  突出部
７ｅ  リブ
７ｆ  第１面
７ｇ  第２面
１９ｈ  突起部
１００    スピニングリール
１１９ａ  規制部
１１９ｈ  突起部
【図１】
0006046496.tif 000002
【図２】
0006046496.tif 000003
【図３】
0006046496.tif 000004
【図４】
0006046496.tif 000005
【図５】
0006046496.tif 000006
【図６】
0006046496.tif 000007
【図７】
0006046496.tif 000008
【図８】
0006046496.tif 000009
【図９】
0006046496.tif 000010